(57)【要約】【課題】ボルトとナットによる締め付け時において片当たりを防止しながら良好な固定力を得られて確実な電極の締め付けを行えるバッテリーターミナルを提供する。【解決手段】バッテリーターミナル３は、バッテリー１の電極２に外嵌される略円筒状の電極把持部４の両端から互いに対向して延出された一対の脚片部５，６に、電極把持部４を縮径変形させるべくボルト７を貫通させてナット１１で締め付けることで、脚片部を互いに接近する方向に保持するものである。この発明では、ボルトの頭部７Ａと脚片部６との間及びナット１１と脚片部５との間に一対の湾曲したワッシャ１５，１６及び１７，１８を反り上がった面同士を当接させて介在させている。【選択図】                      図１
2004207153.tif 000002
【特許請求の範囲】
【請求項１】
バッテリーの電極に外嵌される略円筒状の電極把持部の両端から互いに対向して延出された一対の脚片部に、上記電極把持部を縮径変形させるべくボルトを貫通させてナットで締め付けることで、上記脚片部を互いに接近する方向に保持するバッテリーターミナルであって、
上記ボルトの頭部と上記脚片部との間及び上記ナットと上記脚片部との間の少なくとも一方に一対の湾曲したワッシャを反り上がった面同士を当接させて介在させたことを特徴とするバッテリーターミナル。
【請求項２】
請求項１記載のバッテリーターミナルにおいて、
上記ワッシャと上記脚片部との間に平ワッシャを介在させたことを特徴とするバッテリーターミナル。
【発明の詳細な説明】
【０００１】
【発明の属する技術分野】
本発明は、バッテリーの電極に外嵌されるバッテリーターミナルに関する。
【０００２】
【従来の技術】
車両に搭載されているバッテリーの電極には、ケーブルの端部に設けられたバッテリーターミナルが接続されている。バッテリーターミナルは導電性を考慮して鉛や真鍮製であり、電極に外嵌される略円筒状の電極把持部と、この電極把持部の両端から互いに対向して延出された一対の脚片部とを有し、電極把持部を縮径変形させるべく一対の脚片部に鋼材製のボルトを貫通させてナットで締め付けることで、脚片部を互いに接近する方向に保持している。脚片部とボルト及び脚片部とナットの間には、締め付け力による変形などを防止するのに平ワッシャを介在させている。
【０００３】
【発明が解決しようとする課題】
バッテリーターミナルは、その電極把持部を電極に挿入して締め付ける際に、締め付け力により脚片部が互いに平行に場合と、一方の脚片部が他方の脚片部に対して斜めになる場合がある。ここで問題となるのは、脚片部が斜めなになる場合である。この斜めになる理由しては、電極は一般に接頭円錐形であり、電極把持部から延びる一対の脚片部の基端は電極把持部によって締め付け時の変位が規制されるが、各脚片部の多端は開放端であるので、締め付けられると互いの間隔が狭められるためである。このように互いに対向する脚片部が傾斜してしまうと、ボルトとナットで締め付けたときに、脚片部の開放端側において、ボルトやナットとの間に隙間が生じてしまい、ボルトやナットの片辺りが発生となる。片当たりは、脚片部に対するボルトやナットの接触面積の低下を招き、適正な締め付け力で電極を把持することができず、車体から伝わる振動などと相まってと緩みの原因となり得るおそれがある。また、余りにボルトとナットで締め付けすぎると、ターミナルが変形するので、耐久性の点や締め付け力に見合った把持力を得られない等の課題もある。
本発明は、ボルトとナットによる締め付け時において片当たりを防止しながら良好な固定力を得られて確実な電極の締め付けを行えるバッテリーターミナルを提供することを目的とする。
【０００４】
【課題を解決するための手段】
上記目的を達成するため、請求項１では、バッテリーの電極に外嵌される略円筒状の電極把持部に、その両端からそれぞれ互いに対向して延出された一対の脚片部を形成し、電極把持部を縮径変形させるべくボルトを貫通させてナットで締め付けることで、各脚片部を互いに接近する方向に保持するものであって、ボルトの頭部と脚片部との間及びナットと脚片部との間の少なくとも一方に、一対の湾曲したワッシャを反り上がった面同士を当接させて介在させたバッテリーターミナルを提案している。電極把持部を縮径変形させるべくボルトとナットにより締め付けを行うと、一対の湾曲したワッシャが締め付け方向に変形する。この変形の際に、各ワッシャは互いの反り上がった面同士を当接させた状態となっているので、脚片部が傾斜して平行でなくなっても、互いの反り上がった面上でワッシャが揺動し、脚片部に当接するワッシャが脚片部と一緒に傾斜して当接状態が保持される。
請求項２では、請求項１記載のバッテリーターミナルにおいて、ワッシャと脚片部との間に平ワッシャを介在させているので、湾曲ワッシャからの押圧力は平ワッシャを介して脚片部へと伝えられる。
【０００５】
【発明の実施の形態】
以下、本発明の実施の形態について図面を用いて説明する。図１，図２において、符号１はバッテリーを示す。このバッテリー１の上部から上方に向かって突出する電極２には、バッテリーターミナル３が装着されている。
【０００６】
バッテリーターミナル３は、電導率に優れた鉛で形成されていて、電極２に外嵌される略円筒状の電極把持部４と、この電極把持部４の両端から互いに対向して延出された一対の脚片部５，６とを備えている。脚片部５，６の一端５Ａ，６Ａは電極把持部４側に位置する固定端とされ、他端５Ｂ，６Ｂは開放端とされている。他端６Ｂには図示しない車両電装品へ電流を供給するためのケーブル１０が圧着などの適宜な方法により取り付けられている。脚片部５，６には、ボルト７を挿通するための孔８，９が互いに対向するようにそれぞれ形成されている。孔８，９の直径は、ボルト７の軸部７Ａの直径よりも幾分大きく形成されている。本形態において、ボルト７は孔９から孔８へと挿通されていて、その頭部７Ｂが脚片部６側に、その螺子部７Ｃが脚片部５側にそれぞれ位置するようになっている。螺子部７Ｃには、ナット１１が螺合される。
【０００７】
電極把持部４は、ボルト７に対してナット１１を締め込み、脚片部５，６を近接方向に移動させることで縮径変形し、電極２を外側から締め付けるように構成されている。
【０００８】
ボルト７の頭部７Ｂと脚片部６との間及びナット１１と脚片部５との間には、一対の湾曲したワッシャ１５，１６及びワッシャ１７，１８が、それぞれの反り上がった湾曲面１５Ａ，１６Ａ及び湾曲１７Ａ，１８Ａ同士を当接させて介在させている。このため、湾曲面１５Ａ，１６Ａ及び湾曲１７Ａ，１８Ａの間にはボルト７を境にして空間２１，２２と空間２３，２４が形成される。各ワッシャは同一の材質で、同一形状とされている。各ワッシャ１５，１６１７，１８の中央には、図３に拡大して示すように、ボルト７を挿通するための孔１５Ｂ，１６Ｂ、１７Ｂ、１８Ｂがそれぞれ形成されている。各ワッシャは図３において上下方向、すなわち締め付け方から押されると、平らに成る方向に変形して径方向に拡がるようになっている。脚片部５，６に当接するワッシャ１１６，１８と脚片部５，６の当接面５Ｃ、６Ｃとの間には、平ワッシャ１９，２０が介在させる。
【０００９】
このような構成のバッテリーターミナル３によると、電極把持部４を電極２に挿入する。次にボルト７にワッシャ１７，１８を湾曲面１７Ａ、１８Ａが互いに当接する向きで挿入し、平ワッシャ２０をその後に挿入して頭部７Ａ側に配置する。この状態でボルト７を脚片部５，６の孔９，８に挿通する。脚片部５から突出してボルト７に、平ワッシャ１９を挿入しワッシャ１６，１５を湾曲面１６Ａ、１５Ａが互いに当接する向きで挿入する。
【００１０】
そして、電極把持部４を縮径変形させるべくボルト７とナット１１により締め付けを行うと、図４に示すように、ワッシャ１５，１６、１７，１８が締め付け方向に変形するとともに、互いの湾曲面１５Ａと１６Ａ及び１７Ａと１８Ａが当接されていることにより、ワッシャ１５，１７がワッシャ１６，１８に対してシーソーのように揺動する。つまり空間２１，２３が、空間２２，２４よりも狭くなる。このため、脚片部５と脚片部６とが平行でなくなっても、脚片部５，６に当接するワッシャ１６，１８が脚片部５，６と一緒に傾斜するので、両者の当接状態が保持される。よって、脚片部５，６に対するボルト７やナット１１の片当たりがなくなるので、脚片部５，６に対して均一な締め付け力を与えることができ、ボルト７やナット１１の緩みを防止することができる。また、当接面５Ｃ、６Ｃとワッシャ１６，１８の間には平ワッシャ１９，２０を介在して締め付けているので、脚片部５、６に対する締め付け力が分散され、脚片部５，６の部分的に変形を防止でき、耐久性が向上する。
【００１１】
本形態では、湾曲した一対のワッシャ１５，１６及び１７，１８をボトルの頭部７Ａとナット１１側にそれぞれ介在させているが、何れか一方側にだけ一対の湾曲したワッシャを介在させる構成としても同様の効果を得ることができる。
【００１２】
【発明の効果】
本発明によれば、脚片部が傾斜して平行でなくなっても、互いの反り上がった面上でワッシャが揺動し、脚片部に当接するワッシャが脚片部と一緒に傾斜して当接状態が保持されるので、ボルトとナットによる締め付け時において脚片部に対する片当たりがなくなる。このため、脚片部に対して均一な締め付け力を与えることができ、良好な固定力を得られて確実な電極の締め付けを行える。
【図面の簡単な説明】
【図１】本発明の一実施例であるバッテリーターミナルの構成と電極への装着状態を平面的に見た部分拡大断面図である。
【図２】バッテリーターミナルを側面から見た図である。
【図３】湾曲したワッシャの構成を示す拡大図である。
【図４】バッテリーターミナルを締め込んだときの状態を示す部分拡大断面図である。
【符号の説明】
１    バッテリー
２    電極
３    バッテリーターミナル
４    電極把持部
５，６    一対の脚片部
７    ボルト
１１    ナット
７Ａ    ボルトの頭部
１５，１６，１７，１８    湾曲したワッシャ
１５Ａ，１６Ａ，１７Ａ，１８Ａ    反り上がった面
１９，２０    平ワッシャ
【図１】
2004207153.tif 000003
【図２】
2004207153.tif 000004
【図３】
2004207153.tif 000005
【図４】
2004207153.tif 000006